(57)【要約】【課題】簡単な操作でロールカーテンの操作コードへの子供のいたずらや引っ掛かりを防止する。【解決手段】上部支持部材１２端部に設置された駆動輪２０に巻き掛けられた操作コード２２は駆動輪２０付近に設置された吊り上げ装置２４から引き出された吊り上げコード２６の垂れ下がり端部に設置された連結器２８によって緩く連結されている。吊り上げコード２６が吊り上げ装置２４によって吊り上げられると連結器２８によって操作コード２２も同時に吊り上げられる。これによって操作コードが子供の手が届かない位置まで吊り上げられるので、いたずらや不慮の事故、また人や物の引っ掛かりを防止できる。【選択図】図３
2015224540.tif 000002
【特許請求の範囲】
【請求項１】
以下の構成要素を含む操作装置。
（ａ）ロールスクリーンアセンブリに吊り上げ装置を備える。
（ｂ）吊り上げ装置には吊り上げコードが収納されている。
（ｃ）吊り上げコードの端が吊り上げ装置に巻き込まれている。
（ｄ）吊り上げコードは吊り上げ装置から引き出される。
（ｅ）ロールスクリーンは操作コードを循環させて開閉操作される。
（ｆ）吊り上げコードは、操作コードの循環に追従することがないように、緩く操作コードを掴んで操作コードと連結されている。
【請求項２】
以下の構成要素を含む構成１に記載の操作装置。
（ｇ）吊り上げ装置は吊り上げコードを任意の位置で止めるストッパを備えている。
【請求項３】
以下の構成要素を含む構成２に記載の操作装置。
（ｈ）吊り上げ装置はストッパを外すと吊り上げコードを上死点まで引き上げるゼンマイ機構を備える。
【請求項４】
以下の構成要素を含む構成３に記載の操作装置。
（ｉ）吊り上げ装置は上部支持部材に固定されていない。
【発明の詳細な説明】
【技術分野】
【０００１】  本発明は、ロールスクリーンを操作するために上部支持部材から垂下される操作コードを有するロールスクリーンアセンブリの操作装置に関し、その操作コードへの子供のいたずらや人や物への引っ掛かりを防止することができるロールスクリーンの操作装置に関する。
【背景技術】
【０００２】  従来、この種のロールスクリーンアセンブリの操作装置としては、特許文献１に記載されたものが知られている。操作コードが物や人に引っ掛かるのを防止出来るように、この特許文献１では袋状部材が上部支持部材から吊り下げられており、その袋状部材の中に操作コードが収納されていて、使用時には操作コードを必要分取り出し、使用後は再び袋状部材に収納するようになっている。
【先行技術文献】
【特許文献】
【０００３】
【特許文献１】特開２００４−２４４９０１号広報
【発明の概要】
【発明が解決しようとする課題】
【０００４】  しかしながら、特許文献１のような構成であると使用するたびに袋状部材から操作コードを取り出さねばならない、また収納時に操作コード同士が絡まる恐れもあり操作が行いにくい、という問題がある。【０００５】  本発明はかかる課題に鑑みなされたもので、その目的は操作コードへの子供のいたずらや人や物への引っ掛かりを簡単な操作で防止できるロールスクリーン操作装置を提供することである。
【課題を解決するための手段】
【０００６】  以下の構成はそれぞれ上記の課題を解決するための手段である。【０００７】＜構成１＞
以下の構成要素を含む操作装置。
（ａ）ロールスクリーンアセンブリに吊り上げ装置を備える。
（ｂ）吊り上げ装置には吊り上げコードが収納されている。
（ｃ）吊り上げコードの端が吊り上げ装置に巻き込まれている。
（ｄ）吊り上げコードは吊り上げ装置から引き出される。
（ｅ）ロールスクリーンは操作コードを循環させて開閉操作される。
（ｆ）吊り上げコードは、操作コードの循環に追従することがないように、緩く操作コードを掴んで操作コードと連結されている。【０００８】＜構成２＞
以下の構成要素を含む構成１に記載の操作装置。
（ｇ）吊り上げ装置は吊り上げコードを任意の位置で止めるストッパを備えている。【０００９】＜構成３＞
以下の構成要素を含む構成２に記載の操作装置。
（ｈ）吊り上げ装置はストッパを外すと吊り上げコードを上死点まで引き上げるゼンマイ機構を備える。【００１０】＜構成４＞
以下の構成要素を含む構成３に記載の操作装置。
（ｉ）吊り上げ装置は上部支持部材に固定されていない。
【発明の効果】
【００１１】＜構成１の効果＞
吊り上げ装置によって操作コードが吊り上げられることで、操作コードを子供のいたずらや人や物が引っ掛かるのを防止できる。
＜構成２の効果＞
ロールスクリーンの設置位置や使用者の状況にあわせて操作コードの吊り上げ位置を変えることが出来る。
＜構成３の効果＞
ゼンマイ機構により吊り上げコードが吊り上げ装置内に収納される。
＜構成４の効果＞
既存の製品にも設置ができる。
【図面の簡単な説明】
【００１２】
【図１】本発明のロールスクリーンの操作装置が適用可能なロールスクリーンアセンブリの一例を現す斜視図である。
【図２】吊り上げ装置の説明図である。
【図３】吊り上げ装置によって操作コードが吊り上げられた状態を表す斜視図である。
【図４】吊り上げ装置の分解図の斜視図である。
【図５】ストッパ部分の斜視図である。
【図６】別の実施例の図１に相当する図である。
【図７】連結器の一例の斜視図である。
【発明を実施するための形態】
【００１３】以下、本発明の実施の形態を図に基づいて説明する。尚、以下の実施形態は本発明を限定するものではない。
【実施例１】
【００１４】  図１はロールスクリーンアセンブリに本発明のロールスクリーンの操作装置を適用した場合の実施形態を表す斜視図である。図１においてロールスクリーンアセンブリ１０は、壁面または天井面等の固定部にブラケットを介して取り付けられる上部支持部材１２を有している。上部支持部材１２の両端には一対のサイドプレート１４を有している。一対のサイドプレート１４の間に巻き取りパイプ１６が回転可能に支持されている。巻き取りパイプ１６にはロールスクリーン１８が巻き取り及び巻き解き可能に連結されている。【００１５】  このロールスクリーン１８の動作を操作するために、巻き取りパイプ１６の一端側に駆動輪２０を備えている。駆動輪２０にはループ状の操作コード２２の一部が巻き付けられている。操作コード２２の残りの部分は、駆動輪２０の下方に垂れ下がっている。操作コード２２の垂れ下がり部分を操作することにより、駆動輪２０を回転させる事が出来る。例えば、駆動輪２０を正転させるとロールスクリーン１８が開く。駆動輪２０を逆転させるとロールスクリーン１８が閉じる。これらの操作中、操作コード２２の垂れ下がり部分の長さは変わらない。本発明の装置は、操作コード２２の垂れ下がり部分を吊り上げる機能を持つ。この操作コード２２は巻き取りパイプ１６に直接連結されるものでも良い。また操作コード２２はボールチェーンでもよい。【００１６】  駆動輪２０の付近に駆動輪２０とは接触しない、すなわち回転しない状態で吊り上げ装置２４が設置されている。【００１７】  図２ないし図４は吊り上げ装置の説明図である。本発明の装置は、ゼンマイ３０を内蔵した吊り上げ装置２４と、この吊り上げ装置２４によって吊り上げられる吊り上げコード２６を備える。吊り上げコード２６の一端はゼンマイの駆動軸２４ｂに巻き付けられている。吊り上げ装置２４から吊り上げコード２６を引き出すとゼンマイ３０が巻かれる。巻かれたゼンマイ３０が巻き戻ろうとすることで常に吊り上げコード２６を吊り上げ装置２４内に巻き戻そうとする力が働く。吊り上げコード２６の他端には、操作コード２２と連結するための連結器２８が固定されている。【００１８】  連結器２８は操作コード２２の垂れ下がり部分の下端において、操作コード２２の循環に追従することがないように、緩く操作コード２２を掴んでいる。【００１９】  連結器２８は、操作コード２２と吊り上げコード２６とをルーズ接続している。連結器２８が操作コード２２と吊り上げコード２６とをルーズに接続しているから、ロールスクリーン１８の開閉操作中も、連結器２８は常に重力により操作コードの垂れ下がり部分の下端に位置する。【００２０】  ルーズに接続されるとは、このような状態をいい、例えば図７に示すような構造のものが適する。
（ａ）の例は、金属あるいはプラスチックのリングで、操作コード２２を緩く貫通させている。
（ｂ）の例は、金属あるいはプラスチックのパイプで、これも操作コード２２を緩く貫通させている。
（ｃ）の例は、金属あるいはプラスチックのＣ型リングで、これも操作コード２２を緩く貫通させている。
（ｄ）の例は、金属あるいはプラスチックのコイルスプリングで、これも操作コード２２を緩く貫通させている。【００２１】  吊り上げコード２６を吊り上げ装置２４から引き出して任意の位置で止めることが出来るように吊り上げ装置２４にはストッパ３２が設置されている。このストッパ３２はブラインドの操作装置に内蔵されているごく一般的なもので大変安価なものである。操作方法としては図２ないし図５において、吊り上げコード２６を右方向に引く事で軸３２ｂとストッパ３２によって固定されていた吊り上げコード２６が図５ｂで示すように軸３２ｂとストッパ３２が離れる事で吊り上げコード２６を引き出すことも巻き戻すことも可能になる。任意の位置で吊り上げコード２６を図２ないし図５において左方向に引くことで図５ａに示すように吊り上げコード２６は軸３２ｂとストッパ３２によって固定される。なおストッパは吊り上げコード２６が任意の位置で固定できる構造であればどのような構造でも構わない。【００２２】  図６は吊り上げ装置２４を駆動輪２０付近ではなく連結器２８付近に設置した実施例である。この場合、吊り上げコード２６の上端部分を上部支持部材１２、あるいはサイドプレート１４付近に固定すればよい。【００２３】  以上のように構成されたロールスクリーンアセンブリ１０において、図１のように操作コード２２が物や人に絡まりそうな場合には、吊り上げコード２６を右方向に引く事で、吊り上げ装置２４内に吊り上げコードがゼンマイ３０の巻き戻る力によって収納されていく。吊り上げコード２６と操作コード２２が連結器２８によって連結されているので、吊り上げコード２６と一緒に操作コード２２も本事例では上部方向に巻き上げられる（図３参照）。再度操作コード２２を使用したい場合には吊り上げコード２６を一度左側に引きストッパ３２が外れた状態で吊り上げコード２６を吊り上げ装置２４から引き出して図１の状態に戻せばよい。【００２４】  以上のように、各実施形態によれば、操作コードに人や物が引っ掛かるのを防止するだけでなく、子供の手の届かない位置に引き上げる事でいたずらや不慮の事故の防止も出来る。またあらゆる大きさ、あらゆる種類のブラインドにも適用できる。すなわち、以上の実施形態で説明したロールスクリーンに限るものではなく、縦型ブラインド、横型ブラインド、ローマンシェード、プリーツスクリーン等の任意のブラインドの操作装置に共通する吊り上げ装置を使用することも出来る。このため、製造コスト、部品管理コストを低減することが出来る。【００２５】  なお、本発明は以上のような実施形態に限定されるものではない。本発明の特許請求の範囲に記載した事項と実質的に同一の構成を有し、同一の作用効果を奏するものは本発明の技術範囲に属する。
【符号の説明】
【００２６】１０  ロールスクリーンアセンブリ
１２  上部支持部材
１４  サイドプレート
１６  巻き上げパイプ
１８  ロールスクリーン
２０  駆動輪
２２  操作コード
２４  吊り上げ装置
２６  吊り上げコード
１８  連結器
３０  ゼンマイバネ
３２  ストッパ
【図１】
2015224540.tif 000003
【図２】
2015224540.tif 000004
【図３】
2015224540.tif 000005
【図４】
2015224540.tif 000006
【図５】
2015224540.tif 000007
【図６】
2015224540.tif 000008
【図７】
2015224540.tif 000009